(57)【特許請求の範囲】
【請求項１】
分離線にて２つに分離された際に真贋判定を可能とする偽造防止シートであって、
前記分離線がそれぞれ形成され、互いに貼着された２枚のシートからなり、
前記分離線は、前記２枚のシートが互いに貼着された状態においてその少なくとも一部が重なり合わないように前記２枚のシートにそれぞれ形成され、
前記２枚のシートは、互いの貼着面のうち前記２枚のシートにそれぞれ形成された分離線によって挟まれた領域の少なくとも一部が所定の色に着色されるとともに、前記貼着面のうち前記分離線によって挟まれた領域が互いに貼着されていない偽造防止シート。
【請求項２】
請求項１に記載の偽造防止シートにおいて、
前記２枚のシートのうち少なくとも一方は、前記分離線によって挟まれた領域に情報が表示されている偽造防止シート。
【発明の詳細な説明】
【技術分野】
【０００１】
本発明は、偽造防止シートに関し、特に、使用時に分離線にて２つに分離されることを利用して真贋判定を可能とする技術に関する。
【背景技術】
【０００２】
従来より、プリペイドカードや各種入場チケット、商品券や株券等の有価証券においては、広く流通しており比較的容易に換金可能である等の理由から、偽造犯罪が頻発している。特に、近年では、カラーコピー機、スキャナー、カラープリンタ等の電子機器を利用した複写や読み取り、複製等の性能向上と普及に伴い、簡単には真正品と見分けられない偽造品が比較的容易に製造可能になってきており、偽造に対する対策が求められている。
【０００３】
上述したようなプリペイドカードや各種入場チケット、商品券や株券等の有価証券のうち、入場チケットにおいては、２つに分離可能とするミシン目等の分離線が設けられており、使用時にこの分離線にて２つに分離されるものが多い。そこで、このように２つに分離されることを利用して真贋判定を可能とするチケットが特許文献１に開示されている。この特許文献１に開示されたチケットは、２枚の白紙層間に着色紙層を挟み込んでこれらを互いに貼着し、このチケットを２つに分離するために２枚の白紙層のそれぞれに形成されたハーフカットの位置を２枚の白紙層間でずらしておき、チケットをハーフカットによって２つに分離した際、着色紙層が白紙層の分離に伴って破断し、２枚の白紙層のハーフカットの位置がずれていることにより着色紙層を表出させて真贋判定を可能とするものである。
【先行技術文献】
【特許文献】
【０００４】
【特許文献１】特開２００１−１６２９７８号公報
【発明の概要】
【発明が解決しようとする課題】
【０００５】
しかしながら、特許文献１に開示されたチケットにおいては、真贋判定を可能とするために２枚の白紙層間に着色紙層が挟み込まれた構成であるため、その厚さが厚くなってしまうという問題点がある。チケットにおいては、一般的にその表面に情報を印刷する必要があるが、プリンタの種類によってはチケットの厚さが必要以上に厚くなると、印字性能に支障が生じてしまう虞れがある。
【０００６】
また、チケットを２つに分離した際、２枚の白紙層のそれぞれに形成されたハーフカットの位置が２枚の白紙層間でずれていることにより着色紙層の破断領域がばらつき、それにより、着色紙層が視認可能となる方向が一定とはならなくなって真贋判定を正確に行うことができなくなってしまう虞れがある。
【０００７】
本発明は、上述したような従来の技術が有する問題点に鑑みてなされたものであって、使用時に分離線にて２つに分離される偽造防止シートにおいて、真贋判定を行うための紙層を設けることなく、かつ、分離線にて２つに分離した際に正確に真贋判定を行うことができる偽造防止シートを提供することを目的とする。
【課題を解決するための手段】
【０００８】
上記目的を達成するために本発明は、
分離線にて２つに分離された際に真贋判定を可能とする偽造防止シートであって、
前記分離線がそれぞれ形成され、互いに貼着された２枚のシートからなり、
前記分離線は、前記２枚のシートが互いに貼着された状態においてその少なくとも一部が重なり合わないように前記２枚のシートにそれぞれ形成され、
前記２枚のシートは、互いの貼着面のうち前記２枚のシートにそれぞれ形成された分離線によって挟まれた領域の少なくとも一部が所定の色に着色されるとともに、前記貼着面のうち前記分離線によって挟まれた領域が互いに貼着されていない。
【０００９】
上記のように構成された本発明においては、使用時に分離線にて２つに分離しようとすると、２枚のシートのそれぞれに形成された分離線が、その少なくとも一部が互いに重なり合っていないものの、２枚のシートは、互いの貼着面のうち、２枚のシートにそれぞれ形成された分離線によって挟まれた領域が互いに貼着されていないため、２枚のシートが互いに貼着された状態でそのそれぞれが分離線にて分離することになる。２枚のシートがそれぞれ分離線にて分離すると、互いの貼着面のうち、２枚のシートにそれぞれ形成された分離線によって挟まれた領域が表出することになるが、この領域は少なくとも一部が所定の色に着色されているため、この着色された色を確認することにより、真贋判定が可能となる。
【００１０】
また、２枚のシートのうち少なくとも一方の、分離線によって挟まれた領域に情報を表示しておけば、２枚のシートを分離線にて２つに分離した場合に、その情報が表出することになるので、その情報を用いても真贋判定が可能となる。
【発明の効果】
【００１１】
以上説明したように本発明においては、互いに貼着された２枚のシートにそれぞれ形成された分離線が、２枚のシートが互いに貼着された状態においてその少なくとも一部が重なり合わないように形成され、また、互いの貼着面のうち、２枚のシートにそれぞれ形成された分離線によって挟まれた領域の少なくとも一部が所定の色に着色されるとともに、貼着面のうち分離線によって挟まれた領域が互いに貼着されていないため、この偽造防止シートを分離線にて２つに分離しようとすると、２枚のシートが互いに貼着された状態でそのそれぞれが分離線にて分離して着色した領域が表出し、この着色された色を確認することにより真贋判定が可能となり、それにより、使用時に分離線にて２つに分離される偽造防止シートにおいて、真贋判定を行うための紙層を設けることなく真贋判定を行うことができ、また、２枚のシートが分離線にて分離したことによって表出した色を用いて真贋判定を行うことにより、分離線にて２つに分離した際に正確に真贋判定を行うことができる。
【００１２】
また、２枚のシートのうち少なくとも一方が、分離線によって挟まれた領域に情報が表示されている構成としたものにおいては、２枚のシートを分離線にて２つに分離した場合に、その情報が表出することになるので、その情報を用いても真贋判定が可能となる。
【図面の簡単な説明】
【００１３】
【図１】本発明の偽造防止シートの第１の実施の形態を示す図であり、（ａ）は表面から見た図、（ｂ）は裏面から見た図、（ｃ）は（ａ）に示したＡ―Ａ’断面図である。
【図２】図１に示した偽造防止シートの使用方法及び作用について説明するための図であり、（ａ）は偽造防止シートを２つに分離する前の状態を示す外観斜視図、（ｂ）はミシン目が破断していく状態を示す外観斜視図、（ｃ）は偽造防止シートが２つに分離した状態を示す正面図、（ｄ）は（ｃ）に示したＡ―Ａ’断面図である。
【図３】本発明の偽造防止シートの第２の実施の形態を示す図であり、（ａ）は表面から見た図、（ｂ）は裏面から見た図、（ｃ）は（ａ）に示したＡ―Ａ’断面図である。
【図４】図３に示した偽造防止シートの使用方法及び作用について説明するための図であり、（ａ）は偽造防止シートを２つに分離する前の状態を示す外観斜視図、（ｂ）はミシン目とスリット部とによって本体片ともぎり片とが分離していく状態を示す外観斜視図、（ｃ）は偽造防止シートが２つに分離した状態を示す正面図、（ｄ）は（ｃ）に示したＡ―Ａ’断面図である。
【図５】本発明の偽造防止シートの第３の実施の形態を示す図であり、（ａ）は表面から見た図、（ｂ）は裏面から見た図、（ｃ）は（ａ）に示したＡ―Ａ’断面図、（ｄ）は（ａ）に示したＢ−Ｂ’断面図、（ｅ）は（ａ）に示した一方のシートの他方のシートとの貼着面を示す図、（ｆ）は（ｂ）に示した一方のシートの他方のシートとの貼着面を示す図である。
【図６】図５に示した偽造防止シートの使用方法及び作用について説明するための図であり、（ａ）は偽造防止シートを２つに分離する前の状態を示す外観斜視図、（ｂ）はミシン目が破断していく状態を示す外観斜視図、（ｃ）は偽造防止シートが２つに分離した状態を示す正面図、（ｄ）は（ｃ）に示したＡ―Ａ’断面図である。
【図７】図５に示した偽造防止シートを構成する２枚のシートの互いの貼着面のうちその一部のみに着色部を有することによる作用を説明するための図であり、（ａ）は偽造防止シートを撓ませた状態を示す外観斜視図、（ｂ）は（ａ）に示したＡ部拡大図である。
【発明を実施するための形態】
【００１４】
以下に、本発明の実施の形態について図面を参照して説明する。
【００１５】
（第１の実施の形態）
図１は、本発明の偽造防止シートの第１の実施の形態を示す図であり、（ａ）は表面から見た図、（ｂ）は裏面から見た図、（ｃ）は（ａ）に示したＡ―Ａ’断面図である。
【００１６】
本形態は図１に示すように、同一形状を有する２枚のシート１０ａ，１０ｂが粘着剤２０によって互いに貼着されて構成されている。
【００１７】
２枚のシート１０ａ，１０ｂのうち一方のシート１０ａは、その表面にサーマルプリンタによって情報が印字可能な感熱紙等からなり、本体片１３ａともぎり片１４ａとが分離線となるミシン目１１ａを介して分離可能に連接している。また、シート１０ｂとの貼着面の全面は、例えば赤色で着色されることにより着色層１２ａが形成されている。なお、シート１０ａの厚さは、その表面側から着色層１２ａの色が透けない程度の１００μｍ〜１２０μｍが好ましい。そして、その表面には、サーマルプリンタによってチケット情報等が印字されている。
【００１８】
また、２枚のシート１０ａ，１０ｂのうち他方のシート１０ｂは、不透明度の高いコート紙等からなり、本体片１３ｂともぎり片１４ｂとが分離線となるミシン目１１ｂを介して分離可能に連接している。また、シート１０ａとの貼着面の全面は、例えば青色で着色されることにより着色層１２ｂが形成されている。
【００１９】
このように構成された２枚のシート１０ａ，１０ｂは、上述したように粘着剤２０によって互いに貼着されているが、シート１０ａ，１０ｂにそれぞれ形成されたミシン目１１ａ，１１ｂは、２枚のシート１０ａ，１０ｂが互いに貼着された状態において互いにずれて重なり合わない位置にて略平行に形成されている。このミシン目１１ａ，１１ｂのずれ量としては、後述するようにこの偽装防止シート１をミシン目１１ａ，１１ｂにて２つに分離しようとした場合、２枚のシート１０ａ，１０ｂが粘着剤２０によって互いに貼着された状態で本体片１３ａ，１３ｂともぎり片１４ａ，１４ｂとがミシン目１１ａ，１１ｂにて分離し、かつ、その分離した領域において、着色層１２ａ，１２ｂが視認可能となる程度であればよく、例えば、０．５ｍｍ〜１ｍｍ程度とすることが好ましい。また、２枚のシート１０ａ，１０ｂ間のうち、このミシン目１１ａ，１１ｂによって挟まれた領域には粘着剤２０が介在しておらず、それにより、２枚のシート１０ａ，１０ｂは、ミシン目１１ａ，１１ｂによって挟まれた領域が互いに貼着されていない構成となっている。
【００２０】
以下に、上記のように構成された偽造防止シート１の使用方法及び作用について説明する。
【００２１】
図２は、図１に示した偽造防止シート１の使用方法及び作用について説明するための図であり、（ａ）は偽造防止シート１を２つに分離する前の状態を示す外観斜視図、（ｂ）はミシン目１１ａ，１１ｂが破断していく状態を示す外観斜視図、（ｃ）は偽造防止シート１が２つに分離した状態を示す正面図、（ｄ）は（ｃ）に示したＡ―Ａ’断面図である。
【００２２】
図１に示した偽造防止シート１を使用する場合は、本体片１３ａ，１３ｂともぎり片１４ａ，１４ｂとを分離することになる。図２（ａ）に示すような状態から本体片１３ａ，１３ｂともぎり片１４ａ，１４ｂとを分離しようとすると、２枚のシート１０ａ，１０ｂのそれぞれに形成されたミシン目１１ａ，１１ｂが上述したように互いにずれて重なり合わない位置に形成されているものの、２枚のシート１０ａ，１０ｂは、互いの貼着面のうちミシン目１１ａ，１１ｂによって挟まれた領域が互いに貼着されていないため、本体片１３ａ，１３ｂともぎり片１４ａ，１４ｂとを分離しようとする力は２つのミシン目１１ａ，１１ｂに作用し、それにより、図２（ｂ）に示すように、２枚のシート１０ａ，１０ｂが互いに貼着された状態でミシン目１１ａ，１１ｂが破断していき、２枚のシート１０ａ，１０ｂがそれぞれ、ミシン目１１ａ，１１ｂによって本体片１３ａ，１３ｂともぎり片１４ａ，１４ｂとに分離することになる。
【００２３】
２枚のシート１０ａ，１０ｂがそれぞれ、ミシン目１１ａ，１１ｂによって本体片１３ａ，１３ｂともぎり片１４ａ，１４ｂとに分離すると、２枚のシート１０ａ，１０ｂの互いの貼着面のうちミシン目１１ａ，１１ｂによって挟まれた領域が表出することになるが、シート１０ｂのシート１０ａとの貼着面には着色層１２ｂが形成されているため、図２（ｃ），（ｄ）に示すように、互いに分離された本体片１３ａ，１３ｂともぎり片１４ａ，１４ｂとのうち、本体片１３ａ，１３ｂ側においては、本体片１３ａ側から見た場合に着色層１２ｂによる青色が視認されることになる。また、シート１０ａのシート１０ｂとの貼着面には着色層１２ａが形成されているため、図２（ｄ）に示すように、互いに分離された本体片１３ａ，１３ｂともぎり片１４ａ，１４ｂとのうち、もぎり片１４ａ，１４ｂ側においては、もぎり片１４ｂ側から見た場合に着色層１２ａによる赤色が視認されることになる。
【００２４】
このように、図１に示した偽造防止シート１を本体片１３ａ，１３ｂともぎり片１４ａ，１４ｂとに分離すると、本体片１３ａ，１３ｂ側においては、シート１０ｂに形成された着色層１２ｂによる青色が視認され、もぎり片１４ａ，１４ｂ側においては、シート１０ａに形成された着色層１２ａによる赤色が視認されることになり、この着色層１２ａ，１２ｂによる色を確認することにより、偽造防止シート１の真贋判定が可能となる。
【００２５】
（第２の実施の形態）
図３は、本発明の偽造防止シートの第２の実施の形態を示す図であり、（ａ）は表面から見た図、（ｂ）は裏面から見た図、（ｃ）は（ａ）に示したＡ―Ａ’断面図である。
【００２６】
本形態は図３に示すように、第１の実施の形態に示したものに対して、偽造防止シート１０１を構成する２枚のシート１１０ａ，１１０ｂのうち一方のシート１１０ａを本体片１１３ａともぎり片１１４ａとに分離するための分離線の形状が異なるものである。
【００２７】
本形態においてシート１１０ａを本体片１１３ａともぎり片１１４ａとに分離するための分離線は、ミシン目１１１ａとスリット部１１５とから構成されている。ミシン目１１１ａは、２枚のシート１１０ａ，１１０ｂが粘着剤１２０によって貼着された状態においてシート１１０ｂに形成されたミシン目１１１ｂと重なり合う位置に断続的に形成されており、スリット部１１５は、断続的に形成されたミシン目１１１ａが途切れた領域において本体片１１３ａ側に凸状となってその一部にタイ部を有して形成されている。すなわち、スリット部１１５は、２枚のシート１１０ａ，１１０ｂが粘着剤１２０によって貼着された状態においてシート１１０ｂに形成されたミシン目１１１ｂと重なり合わない位置に形成されており、それにより、本形態における分離線は、シート１１０ａに形成された分離線とシート１１０ｂに形成された分離線とが、２枚のシート１１０ａ，１１０ｂが粘着剤１２０によって貼着された状態においてその一部が重なり合わないように形成されていることになる。
【００２８】
また、２枚のシート１１０ａ，１１０ｂ間のうち、このスリット部１１５とミシン目１１１ｂとによって挟まれた領域には粘着剤１２０が介在しておらず、それにより、２枚のシート１１０ａ，１１０ｂは、スリット部１１５とミシン目１１１ｂとによって挟まれた領域が互いに貼着されていない構成となっている。
【００２９】
以下に、上記のように構成された偽造防止シート１の使用方法及び作用について説明する。
【００３０】
図４は、図３に示した偽造防止シート１０１の使用方法及び作用について説明するための図であり、（ａ）は偽造防止シート１０１を２つに分離する前の状態を示す外観斜視図、（ｂ）はミシン目１１１ａ，１１１ｂとスリット部１１５とによって本体片１１３ａ，１１３ｂともぎり片１１４ａ，１１４ｂとが分離していく状態を示す外観斜視図、（ｃ）は偽造防止シート１０１が２つに分離した状態を示す正面図、（ｄ）は（ｃ）に示したＡ―Ａ’断面図である。
【００３１】
図３に示した偽造防止シート１０１を使用する場合は、第１の実施の形態に示したものと同様に、本体片１１３ａ，１１３ｂともぎり片１１４ａ，１１４ｂとを分離することになる。図４（ａ）に示すような状態から本体片１１３ａ，１１３ｂともぎり片１１４ａ，１１４ｂとを分離しようとすると、２枚のシートのそれぞれに形成されたミシン目１１１ａ，１１１ｂが破断していく。そして、シート１１０ａの破断領域がスリット部１１５に達すると、スリット部１１５はシート１１０ａの本体片１１３ａ側に凸状となっていることからミシン目１１１ｂとは重なり合わない位置に形成されているのものの、２枚のシート１１０ａ，１１０ｂは、互いの貼着面のうちスリット部１１５とミシン目１１１ｂとによって挟まれた領域が互いに貼着されていないため、本体片１１３ａ，１１３ｂともぎり片１１４ａ，１１４ｂとを分離しようとする力はスリット部１１５とミシン目１１１ｂに作用し、それにより、図４（ｂ）に示すように、２枚のシート１１０ａ，１１０ｂが互いに貼着された状態でミシン目１１１ａ，１１１ｂ及びスリット部１１５によって本体片１１３ａ，１１３ｂともぎり片１１４ａ，１１４ｂとが分離していく。
【００３２】
２枚のシート１１０ａ，１１０ｂがそれぞれ、ミシン目１１１ａ，１１１ｂ及びスリット部１１５によって本体片１１３ａ，１１３ｂともぎり片１１４ａ，１１４ｂとに分離すると、２枚のシート１１０ａ，１１０ｂの互いの貼着面のうちスリット部１１５とミシン目１１１ｂとによって挟まれた領域が表出することになるが、シート１１０ｂのシート１１０ａとの貼着面には着色層１１２ｂが形成されているため、図４（ｃ），（ｄ）に示すように、互いに分離された本体片１１３ａ，１１３ｂともぎり片１１４ａ，１１４ｂとのうち、本体片１１３ａ，１１３ｂ側においては、本体片１１３ａ側から見た場合に着色層１１２ｂによる青色が視認されることになる。またこの際、シート１１０ｂのシート１１０ａとの貼着面のうち、スリット部１１５とミシン目１１１ｂとによって挟まれた領域に文字を印刷によって表示しておけば、図４（ｃ）に示すように、２枚のシート１１０ａ，１１０ｂがそれぞれ、ミシン目１１１ａ，１１１ｂ及びスリット部１１５によって本体片１１３ａ，１１３ｂともぎり片１１４ａ，１１４ｂとに分離した際、その情報が文字情報１１６となって視認されることとなり、この文字情報１１６を用いても偽造防止シート１０１の真贋判定を行うことができるようになる。なお、この文字情報１１６は、シート１１０ｂのシート１１０ａとの貼着面のうちスリット部１１５とミシン目１１１ｂとによって挟まれた領域に限らず、シート１１０ａのシート１１０ｂとの貼着面のうちスリット部１１５とミシン目１１１ｂとによって挟まれた領域に表示しておいてもよい。また、シート１１０ａのシート１１０ｂとの貼着面には着色層１１２ａが形成されているため、図４（ｄ）に示すように、互いに分離された本体片１１３ａ，１１３ｂともぎり片１１４ａ，１１４ｂとのうち、もぎり片１１４ａ，１１４ｂ側においては、もぎり片１１４ｂ側から見た場合に着色層１１２ａによる赤色が視認されることになる。
【００３３】
このように、図３に示した偽造防止シート１０１を本体片１１３ａ，１１３ｂともぎり片１１４ａ，１１４ｂとに分離すると、本体片１１３ａ，１１３ｂ側においては、シート１１０ｂに形成された着色層１１２ｂによる青色が視認され、もぎり片１１４ａ，１１４ｂ側においては、シート１１０ａに形成された着色層１１２ａによる赤色が視認されることになり、この着色層１１２ａ，１１２ｂによる色を確認することにより、偽造防止シート１０１の真贋判定が可能となる。
【００３４】
なお、上述した２つの実施の形態においては、着色層１２ａ，１２ｂ，１１２ａ，１１２ｂが、シート１０ａ，１０ｂ，１１０ａ，１１０ｂの互いの貼着面の全面に形成されているが、シート１０ａ，１０ｂについては、互いの貼着面のうちミシン目１１ａ，１１ｂによって挟まれた領域、すなわち、粘着剤２０が介在せずに２枚のシート１０ａ，１０ｂが貼着されていない領域に形成されていればよく、また、シート１１０ａ，１１０ｂについては、互いの貼着面のうちスリット部１１５とミシン目１１１ｂとによって挟まれた領域、すなわち、粘着剤１２０が介在せずに２枚のシート１１０ａ，１１０ｂが貼着されていない領域に形成されていればよい。
【００３５】
（第３の実施の形態）
図５は、本発明の偽造防止シートの第３の実施の形態を示す図であり、（ａ）は表面から見た図、（ｂ）は裏面から見た図、（ｃ）は（ａ）に示したＡ―Ａ’断面図、（ｄ）は（ａ）に示したＢ−Ｂ’断面図、（ｅ）は（ａ）に示したシート２１０ａのシート２１０ｂとの貼着面を示す図、（ｆ）は（ｂ）に示したシート２１０ｂのシート２１０ａとの貼着面を示す図である。
【００３６】
本形態は図５に示すように、第１の実施の形態に示したものに対して、偽造防止シート２０１を構成する２枚のシート２１０ａ，２１０ｂの互いの貼着面のうちその一部のみに着色部２１２ａ，２１２ｂを有する点が異なるものである。
【００３７】
本形態におけるシート２１０ａは図５（ｅ）に示すように、シート２１０ｂとの貼着面のうち、２枚のシート２１０ａ，２１０ｂが貼着された状態においてミシン目２１１ａ，２１１ｂに挟まれた領域を含み、かつ、ミシン目２１１ａを構成するカット部２１１ａ―１とタイ部２１１ａ―２のうちタイ部２１１ａ―２となる領域のみが、例えば赤色で着色されることにより着色部２１２ａが設けられている。
【００３８】
また、本形態におけるシート２１０ｂも同様に、図５（ｆ）に示すように、シート２１０ａとの貼着面のうち、２枚のシート２１０ａ，２１０ｂが貼着された状態においてミシン目２１１ａ，２１１ｂに挟まれた領域を含み、かつ、ミシン目２１１ｂを構成するカット部２１１ｂ―１とタイ部２１１ｂ―２のうちタイ部２１１ｂ―２となる領域のみが、例えば青色で着色されることにより着色部２１２ｂが設けられている。
【００３９】
なお、シート２１０ａに形成されたミシン目２１１ａと、シート２１０ｂに形成されたミシン目２１１ｂとは、ミシン目２１１ａ，２１１ｂが延びる方向についてカット部２１１ａ−１，２１１ｂ―１とタイ部２１１ａ−２，２１１ｂ―２のそれぞれが、同一の幅及び同一のピッチで形成されており、それにより、シート２１０ａ，２１０ｂの長手方向についてカット部２１１ａ−１，２１１ｂ―１とタイ部２１１ａ−２，２１１ｂ―２のそれぞれが同一列上に並ぶようになっている。これにより、２枚のシート２１０ａ，２１０ｂにそれぞれ設けられた着色部２１２ａ，２１２ｂにおいても、シート２１０ａ，２１０ｂの長手方向について互いに同一列上に並ぶようになっている。
【００４０】
以下に、上記のように構成された偽造防止シート２０１の使用方法及び作用について説明する。
【００４１】
図６は、図５に示した偽造防止シート２０１の使用方法及び作用について説明するための図であり、（ａ）は偽造防止シート２０１を２つに分離する前の状態を示す外観斜視図、（ｂ）はミシン目２１１ａ，２１１ｂが破断していく状態を示す外観斜視図、（ｃ）は偽造防止シート２０１が２つに分離した状態を示す正面図、（ｄ）は（ｃ）に示したＡ―Ａ’断面図である。
【００４２】
図５に示した偽造防止シート２０１を使用する場合は、本体片２１３ａ，２１３ｂともぎり片２１４ａ，２１４ｂとを分離することになる。図６（ａ）に示すような状態から本体片２１３ａ，２１３ｂともぎり片２１４ａ，２１４ｂとを分離しようとすると、２枚のシート２１０ａ，２１０ｂのそれぞれに形成されたミシン目２１１ａ，２１１ｂが上述したように互いにずれて重なり合わない位置に形成されているものの、２枚のシート２１０ａ，２１０ｂは、互いの貼着面のうちミシン目２１１ａ，２１１ｂによって挟まれた領域が互いに貼着されていないため、本体片２１３ａ，２１３ｂともぎり片２１４ａ，２１４ｂとを分離しようとする力は２つのミシン目２１１ａ，２１１ｂに作用し、それにより、図６（ｂ）に示すように、２枚のシート２１０ａ，２１０ｂが互いに貼着された状態でミシン目２１１ａ，２１１ｂが破断していき、２枚のシート２１０ａ，２１０ｂがそれぞれ、ミシン目２１１ａ，２１１ｂによって本体片２１３ａ，２１３ｂともぎり片２１４ａ，２１４ｂとに分離することになる。
【００４３】
２枚のシート２１０ａ，２１０ｂがそれぞれ、ミシン目２１１ａ，２１１ｂによって本体片２１３ａ，２１３ｂともぎり片２１４ａ，２１４ｂとに分離すると、２枚のシート２１０ａ，２１０ｂの互いの貼着面のうちミシン目２１１ａ，２１１ｂによって挟まれた領域が表出することになるが、シート２１０ｂのシート２１０ａとの貼着面のうち、ミシン目２１１ａ，２１１ｂによって挟まれた領域の一部には着色部２１２ｂが設けられているため、図６（ｃ），（ｄ）に示すように、互いに分離された本体片２１３ａ，２１３ｂともぎり片２１４ａ，２１４ｂとのうち、本体片２１３ａ，２１３ｂ側においては、本体片２１３ａ側から見た場合に着色部２１２ｂによる青色が視認されることになる。また、シート２１０ａのシート２１０ｂとの貼着面のうち、ミシン目２１１ａ，２１１ｂによって挟まれた領域の一部には着色部２１２ａが設けられているため、図６（ｄ）に示すように、互いに分離された本体片２１３ａ，２１３ｂともぎり片２１４ａ，２１４ｂとのうち、もぎり片２１４ａ，２１４ｂ側においては、もぎり片２１４ｂ側から見た場合に着色部２１２ａによる赤色が視認されることになる。
【００４４】
このように、図５に示した偽造防止シート２０１を本体片２１３ａ，２１３ｂともぎり片２１４ａ，２１４ｂとに分離すると、本体片２１３ａ，２１３ｂ側においては、シート２１０ｂに形成された着色部２１２ｂによる青色が視認され、もぎり片２１４ａ，２１４ｂ側においては、シート２１０ａに形成された着色部２１２ａによる赤色が視認されることになり、この着色層２１２ａ，２１２ｂによる色を確認することにより、偽造防止シート２０１の真贋判定が可能となる。
【００４５】
次に、上述したように２枚のシート２１０ａ，２１０ｂの互いの貼着面のうちその一部のみに着色部２１２ａ，２１２ｂを有することによる作用について説明する。
【００４６】
図７は、図５に示した偽造防止シート２０１を構成する２枚のシート２１０ａ，２１０ｂの互いの貼着面のうちその一部のみに着色部２１２ａ，２１２ｂを有することによる作用を説明するための図であり、（ａ）は偽造防止シート２０１を撓ませた状態を示す外観斜視図、（ｂ）は（ａ）に示したＡ部拡大図である。
【００４７】
図１〜図６に示した偽造防止シート１，１０１，２０１においては、互いに貼着される２枚のシート１０ａ，１０ｂ，１１０ａ，１１０ｂ，２１０ａ，２１０ｂの互いの貼着面に着色層１２ａ，１２ｂ，１１２ａ，１１２ｂまたは着色部２１２ａ，２１２ｂが設けられており、偽造防止シート１，１０１，２０１を本体片１３ａ，１３ｂ，１１３ａ，１１３ｂ，２１３ａ，２１３ｂともぎり片１４ａ，１４ｂ，１１４ａ，１１４ｂ，２１４ａ，２１４ｂとに分離した場合に、これら着色層１２ａ，１２ｂ，１１２ａ，１１２ｂまたは着色部２１２ａ，２１２ｂが表出することにより真贋判定を可能とするが、偽造防止シート１，１０１，２０１を本体片１３ａ，１３ｂ，１１３ａ，１１３ｂ，２１３ａ，２１３ｂともぎり片１４ａ，１４ｂ，１１４ａ，１１４ｂ，２１４ａ，２１４ｂとに分離した場合に着色層１２ａ，１２ｂ，１１２ａ，１１２ｂまたは着色部２１２ａ，２１２ｂが表出することが事前にわかってしまうと、そのような構成の偽造チケットが製造されてしまう虞れがある。
【００４８】
そこで、本形態における偽造防止シート２０１においては、上述したように、シート２１０ａにおいては、シート２１０ｂとの貼着面のうち、２枚のシート２１０ａ，２１０ｂが貼着された状態においてミシン目２１１ａ，２１１ｂに挟まれた領域を含み、かつ、ミシン目２１１ａを構成するカット部２１１ａ―１とタイ部２１１ａ―２のうちタイ部２１１ａ―２となる領域のみに着色部２１２ａが設けられており、また、シート２１０ｂにおいては、シート２１０ａとの貼着面のうち、２枚のシート２１０ａ，２１０ｂが貼着された状態においてミシン目２１１ａ，２１１ｂに挟まれた領域を含み、かつ、ミシン目２１１ｂを構成するカット部２１１ｂ―１とタイ部２１１ｂ―２のうちタイ部２１１ｂ―２となる領域のみに着色部２１２ｂが設けられている。そして、シート２１０ａに形成されたミシン目２１１ａと、シート２１０ｂに形成されたミシン目２１１ｂとは、ミシン目２１１ａ，２１１ｂが延びる方向についてカット部２１１ａ−１，２１１ｂ―１とタイ部２１１ａ−２，２１１ｂ―２のそれぞれが、同一の幅及び同一のピッチで形成されており、それにより、シート２１０ａ，２１０ｂの長手方向についてカット部２１１ａ−１，２１１ｂ―１とタイ部２１１ａ−２，２１１ｂ―２のそれぞれが同一列上に並ぶような構成となっている。
【００４９】
そのため、本形態の偽造防止シート２０１を、図７（ａ）に示すようにミシン目２１１ａが形成された部分が突出する頂点となるように撓ませた場合、図７（ｂ）に示すように、ミシン目２１１ａのカット部２１１ａ−１が広がり、カット部２１１ａ−１の内部が視認可能となるものの、その領域には着色部２１２ａ，２１２ｂが存在せず、偽造防止シート２０１を本体片２１３ａ，２１３ｂともぎり片２１４ａ，２１４ｂとに分離した場合に着色部２１２ａ，２１２ｂが表出する構成を有するものであることがわかることがない。
【００５０】
このように、偽造防止シート２０１が本体片２１３ａ，２１３ｂともぎり片２１４ａ，２１４ｂとに分離する前の状態において、偽造防止シート２０１を本体片２１３ａ，２１３ｂともぎり片２１４ａ，２１４ｂとに分離した場合に着色部２１２ａ，２１２ｂが表出することがわからないようにする構成とすることにより、そのような構成の偽造チケットが製造されてしまうことを防止することができる。
【００５１】
なお、上述した３つの実施の形態においては、互いに貼着された２枚のシート１０ａ，１０ｂ，１１０ａ，１１０ｂ，２１０ａ，２１０ｂの互いの貼着面に設けられた着色層１２ａ，１２ｂ，１１２ａ，１１２ｂまたは着色部２１２ａ，２１２ｂによる色を赤色及び青色としたが、着色層１２ａ，１２ｂ，１１２ａ，１１２ｂまたは着色部２１２ａ，２１２ｂによる色はこれらに限らない。ただし、着色層１２ａ，１１２ａまたは着色部２１２ａによる色と、着色層１２ｂ，１１２ｂまたは着色部２１２ｂによる色とを互いに異なる色とした方が、偽造防止シート１，１０１，２０１を本体片１３ａ，１３ｂ，１１３ａ，１１３ｂ，２１３ａ，２１３ｂともぎり片１４ａ，１４ｂ，１１４ａ，１１４ｂ，２１４ａ，２１４ｂとに分離した場合に、本体片１３ａ，１３ｂ，１１３ａ，１１３ｂ，２１３ａ，２１３ｂ側にて表出する色と、もぎり片１４ａ，１４ｂ，１１４ａ，１１４ｂ，２１４ａ，２１４ｂ側にて表出する色とが互いに異なることとなり、真贋判定をより確実に行うことができる。
【符号の説明】
【００５２】
１，１０１，２０１    偽造防止シート
１０ａ，１０ｂ，１１０ａ，１１０ｂ，２１０ａ，２１０ｂ    シート
１１ａ，１１ｂ，１１１ａ，１１１ｂ，２１１ａ，２１１ｂ    ミシン目
１２ａ，１２ｂ，１１２ａ，１１２ｂ    着色層
１３ａ，１３ｂ，１１３ａ，１１３ｂ，２１３ａ，２１３ｂ    本体片
１４ａ，１４ｂ，１１４ａ，１１４ｂ，２１４ａ，２１４ｂ    もぎり片
２０，１２０，２２０    粘着剤
１１５    スリット部
１１６    文字情報
２１１ａ―１，２１１ｂ―１    カット部
２１１ａ―２，２１１ｂ―２    タイ部
２１２ａ，２１２ｂ    着色部
【図１】
0005383377.tif 000002
【図２】
0005383377.tif 000003
【図３】
0005383377.tif 000004
【図４】
0005383377.tif 000005
【図５】
0005383377.tif 000006
【図６】
0005383377.tif 000007
【図７】
0005383377.tif 000008